(57)【要約】【課題】  積みブロックの施工コストの上昇を可及的に抑制するとともに、コンクリートの施工基準も満足し、またコンクリートの強度に影響を及ぼすことがない型枠支持具を提供する。【解決手段】  裏込め材中に挿入させる脚部１２をその一端側に設けてなる本体１０と、本体１０の他端近傍に突設してあり、型枠を挟持する挟持部３０と、本体１０の脚部１２近傍に挟持部３０とは本体１０の脚部１２以外の部分の長手方向の軸回りに略１８０°位置を異ならせて突設してあり、積みブロックと型枠との間に適宜の間隙を形成させるスペーサ部４０とを備え、スペーサ部４０は、本体１０から所定距離だけ離隔して配設され、積みブロックに当接させる当接部４１と、本体１０から延設してあり、当接部４１を支持する棒状の腕部４２とを具備しており、当接部４１は腕部４２によって本体１０の他端側から支持されている。【選択図】  図２
2015096696.tif 000002
【特許請求の範囲】
【請求項１】
施工対象領域に積層される積みブロックと該積みブロックの裏側に充填される裏込め材との間に介装される型枠を支持する型枠支持具において、
前記裏込め材中に挿入させる脚部をその一端側に設けてなる棒状の本体と、該本体の他端近傍に突設してあり、前記型枠を挟持する挟持部とを備えて構成してあることを特徴とする型枠支持具。
【請求項２】
施工対象領域に積層される積みブロックと該積みブロックの裏側に充填される裏込め材との間に介装される型枠を支持する型枠支持具において、
前記裏込め材中に挿入させる脚部をその一端側に設けてなる棒状の本体と、該本体の他端近傍に突設してあり、前記型枠を挟持する挟持部と、前記本体の脚部近傍に挟持部とは本体の脚部以外の部分の長手方向の軸回りに略１８０°位置を異ならせて突設してあり、前記積みブロックと型枠との間に適宜の間隙を形成させるスペーサ部とを備えて構成してあり、
該スペーサ部は、前記本体から所定距離だけ離隔して配設され、前記積みブロックに当接させる当接部と、前記本体から延設してあり、前記当接部を支持する棒状の腕部とを具備しており、
前記当接部は前記腕部によって前記本体の他端側から支持されている
ことを特徴とする型枠支持具。
【請求項３】
前記腕部は前記本体の他端側へ凸になしてある請求項２記載の型枠支持具。
【請求項４】
棒状の当接部が、その長手方向の軸と前記本体の脚部以外の部分の長手方向の軸とが平行になるように配設してある請求項２又は３記載の型枠支持具。
【請求項５】
前記挟持部は、当該挟持部と前記本体との間に型枠の縁部を挟持し得るように本体から延設してあり、該挟持部の型枠の縁部に当接させる部分は、挟持部の先端へ向かうに従って本体から漸次離隔するテーパになしてある請求項１から４のいずれかに記載の型枠支持具。
【請求項６】
前記挟持部は棒状部材又は帯板状部材で構成してある請求項５記載の型枠支持具。
【請求項７】
前記本体の他端近傍であって、前記スペーサ部と本体の脚部以外の部分の長手方向の軸回りに略９０°異なる位置に取手部が突設してある請求項１から６のいずれかに記載の型枠支持具。
【発明の詳細な説明】
【技術分野】
【０００１】
本発明は、法面及び護岸部等にブロックを施工すべく、コンクリートを打設する際に使用する型枠、所謂抜型枠を支持する型枠支持具に関する。
【背景技術】
【０００２】
法面及び護岸部等の崩落を防止するために、間知ブロックといった所謂積みブロックで被覆面を覆う工事が広く実施されている。従来、積みブロックを施工するには、下端の各積みブロック上にそれぞれ積みブロックを相隣る積みブロックが相互に当接するように積層し、その裏側に平板状の型枠を２〜３つの積みブロック当たりに1枚となるように配置した後、各型枠と被覆面との間に栗石といった裏込め材を積みブロックの高さ方向の略半分の位置まで投入する。なおその際、各型枠と積みブロックの背部との間にスペーサブロックを介装させておく。そして、各型枠と当該段の各積みブロックと一段下の各積みブロックと各型枠とで囲まれた領域に、胴込め用のコンクリートを充填し、充填したコンクリートが硬化した後、各型枠を引き抜いて当該段の施工を完了する。このような作業を積みブロックが所要段数になるまで繰り返す。なお、このように充填したコンクリートが硬化した後に引き抜く型枠を抜型枠と称することもある。
【０００３】
しかし、このような従来の施工法では、積みブロックの裏側に型枠を配置してから胴込め用のコンクリートを充填するまでの間、作業員が型枠を支持していたため、施工に多くの作業員を必要とするのに加え、裏込め材の投入機材及びコンクリートの充填機材によって型枠を支持している作業員に損傷が与えられる虞があった。そのため、次のような型枠支持具が開発されている（特許文献１参照）。
【０００４】
図１０は特許文献１に開示された型枠支持具の使用態様を示す図面であり、図中、５０は型枠支持具、Ｂは略四角錐形状の積みブロックである。型枠支持具５０は、直線状の線材の一端側を三角形に成形させて基台部６０を構成する一方、当該線材の他端側を前記三角形の頂点の位置から当該頂点を含む三角形の一辺の略中央位置まで、当該辺と平行に、かつ当該辺から所定の間隙を隔ててＵ字状に屈曲させて型枠を挟持させる挟持部７０を構成した後、更に、当該辺と直交し、かつ当該辺から離隔する方向へ屈曲させてスペーサ部８０になしてある。
【０００５】
このような型枠支持具５０を用いて積みブロックＢを施工するには、図１０に示したように、積みブロックＢの裏側に型枠支持具５０を、挟持部７０が当該積みブロックＢを設置した設置面側に位置するとともに、スペーサ部８０が積みブロックＢの背部に当接するように配置した後、型枠支持具５０の挟持部７０に板状の型枠Ｗを嵌合させる。このとき、当該型枠Ｗは少なくとも適宜距離を隔てた２つの型枠支持具５０（５０）の挟持部６０（６０）に嵌合されるため、両型枠支持具５０（５０）及び型枠Ｗは自立する。この状態で、型枠Ｗの裏側に裏込め材Ｕを型枠支持具５０の基台部６０より上位の適宜位置まで投入した後、積みブロックＢと型枠Ｗと間にコンクリートＣを打設し、胴込めコンクリートＣＤ及び裏込めコンクリートＣＵを形成する。そして、適宜のタイミングで型枠Ｗを引き抜いて当該段の施工を完了する。
【先行技術文献】
【特許文献】
【０００６】
【特許文献１】特開２００８−２１４９６号公報
【発明の概要】
【発明が解決しようとする課題】
【０００７】
このような従来の型枠支持具５０にあっては、前述したように両型枠支持具５０（５０）及び型枠Ｗが自立するため、型枠Ｗを支持するための作業員が不要となるとともに、施工作業を安全に実施することができるものの、当該型枠支持具５０の基台部６０が裏込め材Ｕ中に、また型枠支持具５０の挟持部７０及びスペーサ部８０がコンクリートＣ中に埋設されることとなる。コンクリートＣ中に埋設された挟持部７０及びスペーサ部８０は、コンクリートＣの施工基準上では異物であるため、当該施工基準を満足せず、またコンクリートＣの強度に多大な影響を及ぼす。従ってかかる型枠支持具５０を積みブロックの施工に使用することができない。一方、コンクリートの施工基準を考慮しない場合であっても、型枠支持具５０は施工領域に埋設されてしまうため、使い捨てであり、積みブロックの施工コストが嵩むという問題があった。
【０００８】
本発明は斯かる事情に鑑みてなされたものであって、積みブロックの施工コストの上昇を可及的に抑制するとともに、コンクリートの施工基準も満足し、またコンクリートの強度に影響を及ぼすことがない型枠支持具を提供する。
【課題を解決するための手段】
【０００９】
（１）本発明に係る型枠支持具は、施工対象領域に積層される積みブロックと該積みブロックの裏側に充填される裏込め材との間に介装される型枠を支持する型枠支持具において、前記裏込め材中に挿入させる脚部をその一端側に設けてなる棒状の本体と、該本体の他端近傍に突設してあり、前記型枠を挟持する挟持部とを備えて構成してあることを特徴とする。
【００１０】
本発明の型枠支持具にあっては、棒状の本体を備えている。本体の一端側は脚部になしてあり、施工対象領域に積層される積みブロックの裏側に充填される裏込め材中にこの脚部を挿入させることによって、本体が自立し得るようになっている。本体の他端近傍には、積みブロックと裏込め材との間に介装される型枠を挟持する挟持部が突設してあり、該挟持部に型枠の縁部を挟持させることによって、前述した如く本体が自立した状態で型枠を支持することができる。
【００１１】
このような型枠支持具にあっては、前述した如く挟持部に型枠の縁部を挟持させるとともに本体の脚部を裏込め材中に挿入させて、本体が自立した状態で型枠を支持させ、この状態で、型枠の裏側に裏込め材を、また型枠の積みブロック側にコンクリートをそれぞれ適宜深さまで投入した後、型枠支持具を裏込め材及びコンクリートから引き抜く。前述したように型枠を挟持する挟持部は本体の他端側に配設してあるため、型枠支持具を引き抜く操作によって挟持部の型枠から引き抜かれ、従って型枠支持具だけを引き抜くことができる。このとき、型枠は裏込め材及びコンクリートによって挟持されるように支持されているので、型枠支持具を引き抜いた後も自立している。そして、更に裏込め材及びコンクリートを所定の深さまで投入した後、型枠を引き抜く。なお、施工方法によっては型枠を引き抜かない場合もある。
【００１２】
引き抜いた型枠支持具は繰り返し使用することができるため、積みブロックの施工コストの上昇を可及的に抑制することができる。また、型枠支持具は施工したコンクリート内に残存しないため、コンクリートの施工基準も満足し、またコンクリートの強度に影響を及ぼすことがない。
【００１３】
（２）本発明に係る型枠支持具は、施工対象領域に積層される積みブロックと該積みブロックの裏側に充填される裏込め材との間に介装される型枠を支持する型枠支持具において、前記裏込め材中に挿入させる脚部をその一端側に設けてなる棒状の本体と、該本体の他端近傍に突設してあり、前記型枠を挟持する挟持部と、前記本体の脚部近傍に挟持部とは本体の脚部以外の部分の長手方向の軸回りに略１８０°位置を異ならせて突設してあり、前記積みブロックと型枠との間に適宜の間隙を形成させるスペーサ部とを備えて構成してあり、該スペーサ部は、前記本体から所定距離だけ離隔して配設され、前記積みブロックに当接させる当接部と、前記本体から延設してあり、前記当接部を支持する棒状の腕部とを具備しており、前記当接部は前記腕部によって前記本体の他端側から支持されていることを特徴とする。
【００１４】
本発明の型枠支持具にあっては、前同様棒状の本体の一端側は脚部になしてあり、施工対象領域に積層される積みブロックの裏側に充填される裏込め材中にこの脚部を挿入させることによって、本体が自立し得るようになっている。また、本体の他端近傍には型枠を挟持する挟持部が突設してあり、該挟持部に型枠の縁部を挟持させることによって、本体が自立した状態で型枠を支持することができる。
【００１５】
一方、本体の脚部近傍には、積みブロックと型枠との間に適宜の間隙を形成させるスペーサ部が、前述した挟持部とは本体の脚部以外の部分の長手方向の軸回りに略１８０°位置を異ならせて突設してある。このスペーサ部は、積みブロックに当接させる当接部、及び、前記本体から延設してあり、当接部を支持する棒状の腕部を具備して構成してある。そして、当接部は腕部によって、本体から所定距離だけ離隔した位置に、本体の他端側から支持されている。
【００１６】
このような型枠支持具にあっては、前同様、挟持部に型枠の縁部を挟持させるとともに本体の脚部を裏込め材中に挿入させて、本体が自立した状態で型枠を支持させ、この状態で、型枠の裏側に裏込め材を、また型枠の積みブロック側にコンクリートをそれぞれ適宜深さまで投入した後、型枠支持具を裏込め材及びコンクリートから引き抜く。前同様、型枠を挟持する挟持部は本体の他端側に配設してあるため、型枠支持具を引き抜く操作によって挟持部の型枠から引き抜かれ、従って型枠支持具だけを引き抜くことができる。そして、更に裏込め材及びコンクリートを所定の深さまで投入した後、型枠を引き抜く。
【００１７】
前同様、引き抜いた型枠支持具は繰り返し使用することができるため、積みブロックの施工コストの上昇を可及的に抑制することができる。また、型枠支持具は施工したコンクリート内に残存しないため、コンクリートの施工基準も満足し、またコンクリートの強度に影響を及ぼすことがない。
【００１８】
更に、本発明の型枠支持具にあっては、スペーサ部を構成する当接部は腕部によって、本体から所定距離だけ離隔した位置に、本体の他端側から支持されているため、前段で投入するコンクリートの深さを腕部の全体が埋没しないように調整することによって、型枠支持具を引き抜いた際に生じる穴の容積を可及的に小さくすることができる。かかる場合にあっては、投入したコンクリートの表面をバイブレータで処理することによって、前記穴を消失させることができる。従って、打設したコンクリートの強度に何らの影響も及ぼさない。更に、穴内にコンクリートを充填させるような仕上げ作業も不要である。
【００１９】
また、スペーサ部のコンクリート内に埋まった部分の総表面積も比較的狭いので、投入されたコンクリートから型枠支持具を引き抜く作業を容易に、また確実に実施することができる。一方、スペーサ部を構成する当接部は腕部によって、本体から所定距離だけ離隔した位置に、本体の他端側から支持されているため、本体と当接部との間にもコンクリートが十分に充填され、投入されたコンクリートの連続性が保たれる。
【００２０】
（３）本発明に係る型枠支持具は、前記腕部は前記本体の他端側へ凸になしてあることを特徴とする。
【００２１】
本発明の型枠支持具にあっては、スペーサ部を構成する腕部は本体の他端側へ凸になしてあるため、当接部が全て埋まる深さまでコンクリートを投入した場合であっても、この凸の部分はコンクリートの表面より上に位置させることができる。これによって、前段で投入するコンクリートに与える影響を可及的に低減することができる。
【００２２】
（４）本発明に係る型枠支持具は、棒状の当接部が、その長手方向の軸と前記本体の脚部以外の部分の長手方向の軸とが平行になるように配設してあることを特徴とする。
【００２３】
本発明の型枠支持具にあっては、棒状の当接部が、その長手方向の軸と本体の脚部以外の部分の長手方向の軸とが平行になるように配設してあるため、型枠支持具を引き抜く場合、本体と当接部とが平行に引き抜かれる。棒状の当接部の場合、長手方向に直交する断面の直径の穴がコンクリートに形成されるため、当該穴のサイズを可及的に小さくすることができる。従って、投入したコンクリートに与える影響も可及的に小さくすることができ、また前述したバイブレータによる穴の消失処理を容易、確実になすことができる。
【００２４】
（５）本発明に係る型枠支持具は、前記挟持部は、当該挟持部と前記本体との間に型枠の縁部を挟持し得るように本体から延設してあり、該挟持部の型枠の縁部に当接させる部分は、挟持部の先端へ向かうに従って本体から漸次離隔するテーパになしてあることを特徴とする。
【００２５】
本発明の型枠支持具にあっては、挟持部は、当該挟持部と前記本体との間に型枠の縁部を挟持し得るように本体から延設してあり、挟持部の型枠の縁部に当接させる部分は、挟持部の先端へ向かうに従って本体から漸次離隔するテーパになしてあるため、異なる厚さ寸法の型枠であってもその縁部を強固に挟持することができる。
【００２６】
（６）本発明に係る型枠支持具は、前記挟持部は棒状部材又は帯板状部材で構成してあることを特徴とする。
【００２７】
本発明の型枠支持具にあっては、挟持部は棒状部材又は帯板状部材で構成してある。挟持部を棒状部材で構成した場合、比較的強度が高い挟持部を廉価に形成することができる。ここで、挟持部を角柱棒状部材というように、型枠の縁部に当接する部分を平面になした部材で構成するとよい。これによって、型枠の縁部の少なくとも角部が線状に保持されるため、型枠支持具を裏込め材中に打ち込む際の衝撃によって本体が挟持部回りに回動する、所謂転がりの発生を防止することができる。一方、挟持部を帯板状部材で構成した場合、前同様、転がりの発生を防止することができ、更に挟持部を可及的に軽量化することができる。
【００２８】
（７）本発明に係る型枠支持具は、前記本体の他端近傍であって、前記スペーサ部と本体の脚部以外の部分の長手方向の軸回りに略９０°異なる位置に取手部が突設してあることを特徴とする。
【００２９】
本発明の型枠支持具にあっては、本体の他端近傍に突設された取手部は、スペーサ部と本体の脚部以外の部分の長手方向の軸回りに略９０°位置を異ならせてあり、スペーサ部を積みブロックに当接させると、取手部は、当該積みブロックの奥行き方向と直交する幅方向と平行をなす姿勢になる。コンクリートを投入する際の作業領域は、積みブロックを積層させる段数が多くなるに従って狭くなるが、前述したように取手部は、当該積みブロックの奥行き方向と直交する幅方向と平行をなす姿勢になっているため、コンクリートを投入する際に取手部が邪魔にならず、円滑で安全に打設作業を実施することができる。
【図面の簡単な説明】
【００３０】
【図１】本発明に係る型枠支持具の正面図である。
【図２】本発明に係る型枠支持具の側面図である。
【図３】本発明に係る型枠支持具の使用状態を説明する説明図である。
【図４】本発明に係る型枠支持具を用いて積みブロックを施工する手順を説明する説明図である。
【図５】本発明に係る型枠支持具を用いて積みブロックを施工する手順を説明する説明図である。
【図６】本発明に係る型枠支持具を用いて積みブロックを施工する手順を説明する説明図である。
【図７】本発明を実施するための第２の形態に係る型枠支持具の正面図である。
【図８】図７に示した型枠支持具の側面図である。
【図９】図７及び図８に示した型枠支持具の使用状態を説明する説明図である。
【図１０】従来の型枠支持具の使用態様を示す図面である。
【発明を実施するための形態】
【００３１】
以下、本発明に係る型枠支持具について図面を用いて詳述する。
なお、本実施の形態で説明する型枠支持具は、本発明の趣旨を説明する一例であり、本発明はその趣旨を逸脱しない範囲での変形や改造を含むことはいうまでもない。
【００３２】
（発明を実施するための第１の形態）
図１及び図２は、本発明に係る型枠支持具の正面図及び側面図である。
図１及び図２に示したように、型枠支持具１は８ｍｍ程度〜１５ｍｍ程度の直径の金属製棒材を用いてなる本体１０を備えており、本体１０の一端部は後述する脚部１２になしてある。また、本体１０の他端近傍であって少なくともいずれか一方の側部周面には、当該本体１０を押し込み及び引き抜くための取手部２０が突設してある。この取手部２０は例えば図１に示した如く横転Ｕ字状に成形してあり、作業員が把持し、又はワイヤ若しくはロープ等を掛回し得るようになっている。
【００３３】
なお、前述した本体１０の平断面形状は円形状であっても、多角形状であってもよい。また、図１に示した型枠支持具１にあっては、横転Ｕ字状の取手部２０を設けた場合について説明したが、本発明はこれに限らず、コ字状、く字状又は円弧状等、適宜の閉じた形状であってもよいし、直線状、横転Ｌ字状又はつまみ状等、適宜の開いた形状であってもよい。更に、本体１０の両側部周面にそれぞれ取手部２０，２０を突設して、２つの取手部２０，２０を備えるようにしてもよい。一方、本体１０の他端に取手部２０を設けてもよい。
【００３４】
ところで、図２に示した如く、本体１０の他端近傍の背部周面には、後述するように板状の型枠を挟持する略クランク形棒状の挟持部３０が本体１０と平行になるように垂設してあり、挟持部３０の前記本体１０の他端側の端部は、本体１０の周面に固着させてある。挟持部３０の他端部と本体１０との間には、型枠の厚さ寸法より適宜寸法だけ大きい寸法になした間隙が形成されており、この間隙内へその縁部を挿入させた型枠を、挟持部３０と本体１０とで挟持するようになっている。
【００３５】
また、挟持部３０の長さ方向の略中央部分（基端部）は、挟持部３０の他端部へ向かうに従って前記本体１０の周面から漸次離隔するテーパになしてあり、これによって異なる厚さ寸法の型枠であってもその縁部を強固に挟持することができるようになっている。
【００３６】
なお、挟持部３０の平断面形状は円形状であっても、多角形状であってもよい。
【００３７】
ところで、本体１０の一端から適宜寸法だけ本体１０の他端側の領域は、後述する裏込め材内に侵入させる脚部１２になしてあり、該脚部１２は本体１０の背部側へ所定角度だけ屈曲させてある。この脚部１２の屈曲は、施工対象の傾斜に応じた角度に定めればよいが、本体１０の脚部１２以外の領域の中心軸を脚部１２側へ延長させた軸Ｌ１と、脚部１２の中心軸Ｌ２とがなす角αが２°以上５°以下の適宜角度が好ましい。
【００３８】
より詳細には、施工対象が１分勾配〜２分勾配である場合には前記なす角αが２°〜３°程度になるように設定し、施工対象が３分勾配〜５分勾配である場合には前記なす角αが４°程度になるように設定し、施工対象が６分勾配〜７分勾配である場合には前記なす角αが５°程度になるように設定するとよい。
【００３９】
積みブロック及び裏込め材並びに胴込めコンクリート、及び必要に応じて裏込めコンクリートを施工して下段とした後に上段を施工する場合、下段の積みブロック上に上段の積みブロックを施工対象の勾配になるように載置し、裏込め材を適宜量投入した後、当該裏込め材と上段の積みブロックとの境界面に型枠支持具１を挿入させるが、本体の脚部を屈曲させていない型枠支持具を使用すると、本体の脚部が裏込め材と上段の積みブロックとの境界面に沿って進入して下段の胴込めコンクリート又は裏込めコンクリートに当接してしまうことがある。このような現象は、前記なす角αが２°未満の場合にも発生する虞がある。
【００４０】
しかしながら、施工対象が勾配に応じて前記なす角αを前述した如く設定しておくことによって、裏込め材と上段の積みブロックとの境界面に型枠支持具１を挿入させても、本体１０の脚部１２が裏込め材と上段の積みブロックとの境界面から適宜距離だけ裏込め材側に進入して行くため、脚部１２が下段の胴込めコンクリート又は裏込めコンクリートに当接することを回避し得る。従って、型枠支持具１を裏込め材内へ所要深さまで円滑に進入させることができる。
【００４１】
一方、前記なす角αが５°を超えると、裏込め材内へ挿入させる際に型枠支持具１に印加される力によって本体１０の脚部１２が更に屈曲してしまう虞がある。
【００４２】
なお、脚部１２の端は尖鋭になしてあり、これによって裏込め材内へ脚部１２を挿入させ易くなしてある。
【００４３】
なお、かかる脚部１２の長さは、挟持部３０に挟持させた型枠を自立させ得る寸法であれば適宜定めることができるが、例えば３００〜４００ｍｍ程度に設定することができる。また、本体１０の長さは、型枠の寸法に応じて定めればよいが、例えば８００〜９００ｍｍ程度に設定することができる。
【００４４】
図３は本発明に係る型枠支持具の使用状態を説明する説明図であり、裏込めコンクリートも打設する場合を示している。なお、図中、図１及び図２に示した部分に対応する部分には同じ番号を付してその説明を省略する。
【００４５】
積みブロックＢは、擁壁の表面に配置される多角形板状（図３にあっては六角形板状）の表板部ＢＰの背部に多角錐台状の胴部ＢＤを延設して構成されており、図３に示した場合にあっては、下段の相隣る積みブロックＢ，Ｂ、Ｂ，Ｂ、…，…間上にそれぞれ上段の積みブロックＢ，Ｂ，…が載置してある。上段の適宜の積みブロックＢの後方には型枠支持具１が、当該型枠支持具１の後述するスペーサ部４０の当接部４１が当該積みブロックＢの胴部ＢＤの背部（控尻）に当接するように配設してあり、型枠支持具１の取手部２０は横方向へ向いている。
【００４６】
また、図３に示した場合にあっては前述した積みブロックＢから横方向へ２つ目の積みブロックＢの後方にも型枠支持具１が前同様に配設してある。両型枠支持具１，１の脚部１２，１２は、後述する如く下段に施設された裏込め材中にそれぞれ挿入されており、これによって両型枠支持具１，１は自立している。
【００４７】
これらの積みブロックＢ，Ｂ，Ｂの後方には抜型枠とも称される横長長方形板状の型枠Ｗが配置してある。この型枠Ｗの上縁部は前述した２本の型枠支持具１，１に設けられた挟持部３０，３０によって適宜距離を隔てて挟持されており、これによって型枠Ｗが両型枠支持具１，１にて起立した状態に支持されている。そして、型枠Ｗと積みブロックＢ，Ｂ，Ｂの表板部ＢＰ，ＢＰ，ＢＰとの間にコンクリートを打設して、積みブロックＢ，Ｂ，Ｂの胴部ＢＤ，ＢＤ，ＢＤを囲繞する胴込めコンクリート、及び胴部ＢＤ，ＢＤ，ＢＤの背部と型枠Ｗとの間に介装される裏込めコンクリートとする。
【００４８】
ところで、図２に示したように、本体１０の正面であって本体１０の脚部１２より少し本体１０の他端側の位置には、裏込めコンクリートを施工すべく、積みブロックの背部との間に隙間を形成させるスペーサ部４０が設けてある。図２に示した場合にあっては、スペーサ部４０は８ｍｍ程度〜１５ｍｍ程度の直径の棒材を略倒立Ｕ字状に成形してなり、本体１０から離隔した一腕部は、前述した如く積みブロックＢの胴部ＢＤ（いずれも図３参照）の背部に当接させる棒状の当接部４１になしてある。当接部４１は、本体１０から延設された腕部４２によって、本体１０から所定寸法だけ離隔した位置に、当該当接部４１の中心軸が本体１０の脚部１２以外の領域の中心軸と平行をなすように支持されている。この腕部４２は、本体１０の他端側へ凸になっており、本体１０の他端側から当接部４１を支持している。
【００４９】
なお、当接部４１と本体１０との間の寸法は施工規格によって定めればよいが、一般的には１０ｃｍ、１５ｃｍ又は２０ｃｍに設定する。一方、スペーサ部４０の寸法、及びスペーサ部４０の本体１０への取付け位置は適宜に設定することができるが、いずれもコンクリートを打設した際に、腕部４２の天井部が打設されたコンクリートの表面から上方の適宜高さ位置に突出し得るように設定する。なお、本実施の形態では棒状の当接部４１を配設した場合について示したが、円弧状又は多角形状等、適宜の形状であってもよい。
【００５０】
これによって、打設されたコンクリート中にはスペーサ部４０の当接部４１が埋没し、腕部４２の凸になった天井部は埋没しないため、打設されたコンクリートから型枠支持具１を引き抜いた場合であっても、当該コンクリートには当接部４１が引き抜かれた棒状の穴が残るだけですみ、更にかかる穴の直径は８ｍｍ程度〜１５ｍｍ程度であり、当該穴の総体積も比較的小さいので、打設したコンクリートの表面をバイブレータで処理することによって、穴を消失させることができる。従って、打設したコンクリートの強度に何らの影響も及ぼさない。更に、穴内にコンクリートを充填させるような仕上げ作業も不要である。
【００５１】
また、スペーサ部４０の当接部４１及び腕部４２の基端部並びに本体１０の総表面積も比較的狭いので、打設されたコンクリートから型枠支持具１を引き抜く作業を容易に、また確実に実施することができる。一方、スペーサ部４０の当接部４１は本体１０から離隔しているため、本体１０と当接部４１との間にもコンクリートが十分に充填され、打設されたコンクリートの連続性が保たれる。
【００５２】
なお、打設されたコンクリートから型枠支持具１を引き抜いた場合、本体１０及び腕部４２の基端部に係る凹部も形成されるが、該凹部は前述したバイブレータ処理によって消失させることができる。なお、当該凹部を十分に消失させることができなかった場合であっても、凹部が生じる位置は打設したコンクリートの裏込め材と接触する表面であるため、打設したコンクリートの欠陥にはならない。
【００５３】
なお、本実施の形態では倒立Ｕ字状のスペーサ部４０を設けた場合について説明したが、本発明はこれに限らず、矩形倒立Ｕ字状、倒立Ｖ字状又は倒立Ｌ字状等、適宜の形状になすことができる。ただし、好ましくは、スペーサ部４０の当接部４１を本体１０の脚部１２以外の部分と平行になるように配設する。これによって、打設されたコンクリートから型枠支持具１を引き抜く場合に、スペーサ部４０の当接部４１の長手方向の軸と本体１０の脚部１２以外の部分の長手方向の軸とが平行になるため、当接部４１の引き抜き方向と型枠支持具１の引き抜き方向とが一致し、打設されたコンクリートから型枠支持具１を引き抜いた後に形成される穴の容積を可及的に小さくすることができる。
【００５４】
図４〜図６は、本発明に係る型枠支持具を用いて積みブロックを施工する手順を説明する説明図である。なお、これらの図中、図１〜図３に示した部分に対応する部分には同じ番号が付してある。
【００５５】
図４に示したように、下段には積みブロックＢ、胴込めコンクリート及び裏込めコンクリートからなるコンクリートＣ、及びクラッシャーラン及び又は栗石等を用いてなる裏込め材Ｕが既に施工されている。また、下段の裏込めコンクリートの表面には、上段の積みブロックＢの胴部ＢＤを担持させる置石Ｓの高さを調整するコンクリート製の調整部ＣＴが形成してあり、該調整部ＣＴ上に置石Ｓが載置してある。そして、施工対象である上段の積みブロックＢが所定の勾配をもってその表板部ＢＰが下段の積みブロックＢの表板部ＢＰと面一になるように載置してあり、上段の積みブロックＢの胴部ＢＤの尾部が前記置石Ｓ上に載置されている。なお、調整部ＣＴ及び置石Ｓはその場の状況に応じて設ければよく、いずれか一方又はいずれも設けない場合もある。
【００５６】
この状態で、作業者は取手部２０を把持して型枠支持具１を、下段の積みブロックＢの胴部ＢＤと裏込め材Ｕとの境界に位置させ、当該型枠支持具１のスペーサ部４０の当接部４１が上段の積みブロックＢの胴部ＢＤの背部に当接するように、当該型枠支持具１の脚部１２を裏込め材Ｕ内へ適宜深さまで進入させる。このとき、図４に示したように、型枠支持具１の取手部２０は横方向へ向いている。また、型枠支持具１は自立しており、作業者は型枠支持具１から離れて次の作業を行うことができる。
【００５７】
そして、作業者は型枠Ｗを起立させ、当該型枠Ｗの上縁部を前記型枠支持具１の挟持部３０内へ進入するように配置した後、型枠支持具１の取手部２０を把持して脚部１２を裏込め材Ｕ内へ更に挿入させる。これによって、型枠Ｗの上縁部が挟持部３０が強固に挟持されるとともに、型枠支持具１によって型枠Ｗが支持されて、作業が支持することなく、型枠Ｗが自立する。
【００５８】
次に、図５に示したように、作業員は、型枠Ｗの背部へ裏込め材Ｕを所要深さの略半分の位置まで投入する。このとき、型枠Ｗには裏込め材Ｕによって積みブロックＢ側へ向かう力が印加されるが、型枠支持具１のスペーサ部４０の当接部４１が積みブロックＢの胴部ＢＤの背部に当接しているため、前記圧力に対抗することができる。
【００５９】
なお、前作業において、型枠支持具１のスペーサ部４０の当接部４１と積みブロックＢの胴部ＢＤとに間隙が生じていた場合であっても、前述したように型枠Ｗを介して積みブロックＢ側へ向かう力が印加されるため、前記間隙は解消される。
【００６０】
次に、作業員は、上段の積みブロックＢの表板部ＢＰと型枠Ｗとの間に、前記スペーサ部４０の腕部４２の凸部が埋没しない適宜の深さまでコンクリートを打設して、胴部ＢＤを囲繞する胴込めコンクリートＣＤ、及び胴部ＢＤの背部と型枠Ｗとの間に介装される裏込めコンクリートＣＵを形成させる。これによって、型枠Ｗの下側領域が裏込め材Ｕと裏込めコンクリートＣＵとによって挟持されるため、型枠支持具１によらず自立することができる。
【００６１】
このとき、前述したように型枠支持具１の取手部２０は横方向へ向いているため、コンクリートを打設する際に取手部２０が邪魔にならず、円滑で安全に打設作業を実施することができる。
【００６２】
そして、作業員は、適宜のタイミングで型枠支持具１の取手部２０を把持して当該型枠支持具１を引き抜いた後、上段に打設したコンクリートの表面を図示しないバイブレータで処理することによって、型枠支持具１を引き抜いた際に生じた穴を消失させる。
【００６３】
そして、図６に示したように、作業員は、裏込め材Ｕを型枠Ｗの上縁近傍の高さ位置まで投入し、また裏込め材Ｕの表面の高さと略同じ高さ位置までコンクリートＣを打設した後、適宜のタイミングで型枠Ｗを引き抜く。なお、この後に、打設したコンクリートＣの表面を図示しないバイブレータで処理することによって、型枠Ｗを引き抜いた際に生じた痕を消失させてもよい。
【００６４】
なお、施工方法によっては型枠Ｗを引き抜かずに、そのまま埋設させておくこともあり、かかる場合には前述した如き型枠Ｗの引き抜きによる痕が生じないため、後処理も不要となる。
【００６５】
（発明を実施するための第２の形態）
図７は本発明を実施するための第２の形態に係る型枠支持具の正面図であり、図８は図７に示した型枠支持具の側面図である。なお、両図中、図１及び図２に示した部分に対応する部分には同じ番号を付して、その説明を省略する。
【００６６】
図７及び図８に示したように、本型枠支持具１ａにあっては本体１０の中心軸と脚部１２ａの中心軸とは同軸上になしてあり、本体１０と脚部１２ａとは一直線状になっている。
【００６７】
一方、スペーサ部４０ａは倒立Ｌ字状になしてあり、積みブロックの背部に当接させる当接部４１ａが本体１０と平行な姿勢になるように、本体１０と当接部４１ａとの間に介装させた腕部４２ａによって、本体１０の他端側から当接部４１ａを支持している。このように、倒立Ｌ字状のスペーサ部４０ａを適用することによって、スペーサ部の製造コストを可及的に廉価にすることができる。なお、スペーサ部４０ａはその直径を本体１０の直径より大きくなしてもよく、また必要に応じて全部又は部分的に焼き入れを施してもよい。これによってスペーサ部４０ａは所要の強度を保持することができる。
【００６８】
ところで、本体１０の他端近傍の周面には挟持部３０ａが固定してある。挟持部３０ａは帯板状をなしており、その一端側の基端部３２ａから適宜寸法だけ他端側の位置で屈曲させて側面視がへ字状になしてある。挟持部３０ａはその他端が本体１０の他端側へ垂下するように基端部３２ａを本体１０の他端近傍の背部周面に固着させてあり、これによって挟持部３０ａは本体１０の他端へ向かうに従って本体１０の周面から漸次離隔するテーパになっている。
【００６９】
挟持部３０ａの寸法は適宜に定めることができるが、例えば幅が２ｃｍ程度〜３ｃｍ程度、長さが１２ｃｍ程度〜１５ｃｍ程度にすることができる。また、挟持部３０ａの他端と本体１０の周面との間の寸法は２ｃｍ〜３ｃｍ程度にするとよい。これによって、種々の厚さ寸法の型枠であっても挟持部３０ａによって容易に挟持することができるのに加え、繰り返し使用されて縁部の寸法が拡大した型枠にも対応することができる。
【００７０】
図９は図７及び図８に示した型枠支持具の使用状態を説明する説明図であり、前述した図３に対応するものである。なお、図中、図３並びに図７及び図８に示した部分に対応する部分には同じ番号が付してある。
【００７１】
図９に示したように、下段の相隣る積みブロックＢ，Ｂ、Ｂ，Ｂ、…，…間上にそれぞれ上段の積みブロックＢ，Ｂ，…が載置してあり、上段の適宜の積みブロックＢの後方には型枠支持具１ａが、当該型枠支持具１ａのスペーサ部４０ａの当接部４１ａが当該積みブロックＢの胴部ＢＤの背部に当接するように配設してある。このとき、型枠支持具１ａの取手部２０は横方向へ向いている。また、前述した積みブロックＢから横方向へ２つ目の積みブロックＢの後方にも型枠支持具１ａが前同様に配設してある。両型枠支持具１ａ，１ａの脚部１２ａ，１２ａは、下段に施設された裏込め材中にそれぞれ挿入されており、これによって両型枠支持具１ａ，１ａは自立している。
【００７２】
これらの積みブロックＢ，Ｂ，Ｂの後方に配置された型枠Ｗの上縁部は２本の型枠支持具１ａ，１ａに設けられた挟持部３０ａ，３０ａによって挟持されており、これによって型枠Ｗが両型枠支持具１ａ，１ａにて起立した状態に支持されている。そして、型枠Ｗと積みブロックＢ，Ｂ，Ｂの表板部ＢＰ，ＢＰ，ＢＰとの間にコンクリートを打設して、積みブロックＢ，Ｂ，Ｂの胴部ＢＤ，ＢＤ，ＢＤを囲繞する胴込めコンクリート、及び胴部ＢＤ，ＢＤ，ＢＤの背部と型枠Ｗとの間に介装される裏込めコンクリートとする。
【００７３】
ところで、裏込めコンクリートを施設しない場合もある。かかる場合には型枠支持具１ａを、相隣る積みブロックＢ，Ｂの胴部ＢＤ，ＢＤ間の適宜位置であって、隣る胴部ＢＤ，ＢＤの背部を結ぶ線分上に配置する。そして、同様に配置された２本の型枠支持具１ａ，１ａの挟持部３０ａ，３０ａによって、積みブロックＢ，Ｂ，Ｂの後方に配置された型枠Ｗの上縁部を挟持した後、型枠Ｗと積みブロックＢ，Ｂ，Ｂの表板部ＢＰ，ＢＰ，ＢＰとの間にコンクリートを打設して、積みブロックＢ，Ｂ，Ｂの胴部ＢＤ，ＢＤ，ＢＤを囲繞する胴込めコンクリートとする。このとき、型枠Ｗは積みブロックＢ，Ｂ，Ｂの各胴部ＢＤ，ＢＤ，ＢＤの背部に当接しており、従って裏込めコンクリートは施設されない。
【００７４】
なお、裏込めコンクリートを施設しない場合には、図１及び図２に示した型枠支持具１においてスペーサ部４０を設けていない型枠支持具、又は図７及び図８に示した型枠支持具１ａにおいてスペーサ部４０ａを設けていない型枠支持具であっても適用することができる。かかる型枠支持具にあっては、胴部ＢＤの背部に本体１０を当接させることができる。
【００７５】
このような型枠支持具１ａにあっては、前述した如く挟持部３０ａが帯板状になしてあるため、挟持部３０ａによって型枠Ｗの縁部を挟持する際、挟持部３０ａの内側面が型枠Ｗの縁部に当接して、型枠Ｗの縁部の少なくとも角部が線状に保持されるため、型枠支持具１ａを裏込め材中に打ち込む際の衝撃によって本体１０が挟持部３０ａ回りに回動する、所謂転がりの発生が防止される。
【００７６】
なお、本実施の形態では、帯板状の挟持部３０ａを設けた場合について説明したが、本発明はこれに限らず、図１及び図２に示した挟持部３０を角柱状というように、型枠Ｗの縁部に当接する部分を平面になした部材で構成してもよい。この場合も、板状部材と同様、型枠Ｗの縁部を線状に保持することができ、転がりの発生が防止される。ただし、帯板状の挟持部３０ａとした場合、挟持部を可及的に軽量化することができる。
【符号の説明】
【００７７】
１    型枠支持具
１０    本体
１２    脚部
１２ａ  脚部
２０    取手部
３０    挟持部
３０ａ  挟持部
４０    スペーサ部
４０ａ  スペーサ部
４１    当接部
４２    腕部
Ｂ    積みブロック
Ｃ    コンクリート
【図１】
2015096696.tif 000003
【図２】
2015096696.tif 000004
【図３】
2015096696.tif 000005
【図４】
2015096696.tif 000006
【図５】
2015096696.tif 000007
【図６】
2015096696.tif 000008
【図７】
2015096696.tif 000009
【図８】
2015096696.tif 000010
【図９】
2015096696.tif 000011
【図１０】
2015096696.tif 000012